(57)【要約】【課題】  小型かつ高ズーム比で、全ズーム範囲で高い光学性能を有するズームレンズ及び撮像装置を実現すること。【解決手段】  本発明のズームレンズＺＬは、物体側から像側へ順に配置された、正の屈折力の第１レンズ群Ｌ１、負の屈折力の第２レンズ群Ｌ２、１つ以上のレンズ群を含む中間群ＭＬ、正の屈折力のレンズ群ＬＰ、負の屈折力のレンズ群ＬＮからなり、広角端から望遠端へのズーミングに際して前記レンズ群ＬＮが物体側へ移動する。このとき、広角端におけるレンズ群ＬＰの像側のレンズ面とレンズ群ＬＮの物体側のレンズ面との光軸上の距離ＬＲ、レンズ群ＬＮの焦点距離ｆＬＮ、レンズ群ＬＰの焦点距離ｆＬＰを適切に定めたことを特徴とする。【選択図】  図１
2019158961.tif 000002
【特許請求の範囲】
【請求項１】
複数のレンズ群を有し、ズーミングに際して隣り合うレンズ群の間隔が変化するズームレンズであって、
前記複数のレンズ群は、物体側から像側へ順に配置された、正の屈折力の第１レンズ群、負の屈折力の第２レンズ群、１つ以上のレンズ群を含む中間群、正の屈折力のレンズ群ＬＰ、負の屈折力のレンズ群ＬＮからなり、
広角端から望遠端へのズーミングに際して前記レンズ群ＬＮが物体側へ移動し、
広角端における前記レンズ群ＬＰの最も像側のレンズ面と前記レンズ群ＬＮの最も物体側のレンズ面との光軸上の距離をＬＲ、広角端における前記ズームレンズのバックフォーカスをＢｋｗ、前記レンズ群ＬＮの焦点距離をｆＬＮ、前記レンズ群ＬＰの焦点距離をｆＬＰとするとき、
０．７０＜ＬＲ／Ｂｋｗ＜１．２２
−１．１０＜ｆＬＮ／ｆＬＰ＜−０．３０
なる条件式を満たすことを特徴とするズームレンズ。
【請求項２】
広角端における前記ズームレンズの焦点距離をｆｗとするとき、
−１．６０＜ｆＬＮ／ｆｗ＜−０．６２
なる条件式を満たすことを特徴とする請求項１に記載のズームレンズ。
【請求項３】
望遠端における前記ズームレンズのバックフォーカスをＢｋｔとするとき、
２．００＜Ｂｋｔ／Ｂｋｗ＜４．００
なる条件式を満たすことを特徴とする請求項１又は２に記載のズームレンズ。
【請求項４】
広角端における前記ズームレンズの焦点距離をｆｗとするとき、
０．１０＜Ｂｋｗ／ｆｗ＜０．４０
なる条件式を満たすことを特徴とする請求項１乃至３のいずれか１項に記載のズームレンズ。
【請求項５】
広角端において無限遠物体にフォーカスしたときの射出瞳の位置から像面までの光軸上の距離をＥｐ、広角端における前記ズームレンズの焦点距離をｆｗとするとき、
０．４０＜｜Ｅｐ｜／ｆｗ＜０．７０
なる条件式を満たすことを特徴とする請求項１乃至４のいずれか１項に記載のズームレンズ。
【請求項６】
広角端における、前記ズームレンズの最も物体側のレンズ面から像面までの光軸上の距離をＴＤｗ、広角端における前記ズームレンズの焦点距離をｆｗとするとき、
１．５０＜ＴＤｗ／ｆｗ＜３．００
なる条件式を満たすことを特徴とする請求項１乃至５のいずれか１項に記載のズームレンズ。
【請求項７】
前記中間群は少なくとも１枚の負レンズを有し、該少なくとも１枚の負レンズのうち最も屈折率が大きい材料のｄ線に対する屈折率をｎｄＭとするとき、
１．９５＜ｎｄＭ＜２．２０
なる条件式を満たすことを特徴とする請求項１乃至６のいずれか１項に記載のズームレンズ。
【請求項８】
前記レンズ群ＬＰの最も像側のレンズ面と前記レンズ群ＬＮの最も物体側のレンズ面との光軸上の距離は、フォーカシングに際して一定であることを特徴とする請求項１乃至７のいずれか１項に記載のズームレンズ。
【請求項９】
フォーカシングに際して、前記中間群に含まれるレンズ群のうち最も像側に配置されたレンズ群が移動することを特徴とする請求項１乃至８のいずれか１項に記載のズームレンズ。
【請求項１０】
前記レンズ群ＬＮは、１枚の正レンズと１枚の負レンズを有することを特徴とする請求項１乃至９のいずれか１項に記載のズームレンズ。
【請求項１１】
前記レンズ群ＬＮは、非球面レンズを有することを特徴とする請求項１乃至１０のいずれか１項に記載のズームレンズ。
【請求項１２】
前記非球面レンズの非球面は、光軸中心からレンズ周辺に向かって正の屈折力が強まる形状であることを特徴とする請求項１１に記載のズームレンズ。
【請求項１３】
前記ズームレンズは、前記第１レンズ群と、前記第２レンズ群と、正の屈折力の第３レンズ群と、正の屈折力の第４レンズ群と、負の屈折力の第５レンズ群と、前記レンズ群ＬＰとしての第６レンズ群と、前記レンズ群ＬＮとしての第７レンズ群からなることを特徴とする請求項１乃至１２のいずれか１項に記載のズームレンズ。
【請求項１４】
前記ズームレンズは、前記第１レンズ群と、前記第２レンズ群と、正の屈折力の第３レンズ群と、負の屈折力の第４レンズ群と、正の屈折力の第５レンズ群と、負の屈折力の第６レンズ群と、前記レンズ群ＬＰとしての第７レンズ群と、前記レンズ群ＬＮとしての第８レンズ群からなることを特徴とする請求項１乃至１２のいずれか１項に記載のズームレンズ。
【請求項１５】
前記ズームレンズは、前記第１レンズ群と、前記第２レンズ群と、正の屈折力の第３レンズ群と、前記レンズ群ＬＰとしての第４レンズ群と、前記レンズ群ＬＮとしての第５レンズ群からなることを特徴とする請求項１乃至１２のいずれか１項に記載のズームレンズ。
【請求項１６】
前記ズームレンズは、前記第１レンズ群と、前記第２レンズ群と、正の屈折力の第３レンズ群と、負の屈折力の第４レンズ群と、前記レンズ群ＬＰとしての第５レンズ群と、前記レンズ群ＬＮとしての第６レンズ群からなることを特徴とする請求項１乃至１２のいずれか１項に記載のズームレンズ。
【請求項１７】
請求項１乃至１６のいずれか１項に記載のズームレンズと、該ズームレンズにより形成された像を受光する撮像素子を有することを特徴とする撮像装置。
【発明の詳細な説明】
【技術分野】
【０００１】
本発明は、ズームレンズ及び撮像装置に関する。
【背景技術】
【０００２】
近年、多くのズームレンズに対して、小型かつ高ズーム比で、全ズーム範囲で高い光学性能を有することが求められている。
【０００３】
特許文献１には、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群からなる、小型で高ズーム比のズームレンズが開示されている。
【先行技術文献】
【特許文献】
【０００４】
【特許文献１】特開２０１４−２２８７３４号公報
【発明の概要】
【発明が解決しようとする課題】
【０００５】
レンズ全長を短縮するためにテレフォトタイプのレンズ配置を採用したズームレンズでは、望遠側において非点収差やコマ収差の影響が大きくなることがある。そのため、全ズーム範囲で高い光学性能を得るためには、最も像側に配置される負の屈折力のレンズ群とその物体側に隣接して配置される正の屈折力のレンズ群との間隔やそれぞれの焦点距離等を適切に設定することが重要となる。
【０００６】
本発明は上記課題に鑑みてなされたものであり、小型かつ高ズーム比で、全ズーム範囲で高い光学性能を有するズームレンズを得ることを目的とする。
【課題を解決するための手段】
【０００７】
本発明の実施例に係るズームレンズは、複数のレンズ群を有し、ズーミングに際して隣り合うレンズ群の間隔が変化するズームレンズであって、前記複数のレンズ群は、物体側から像側へ順に配置された、正の屈折力の第１レンズ群、負の屈折力の第２レンズ群、１つ以上のレンズ群を含む中間群、正の屈折力のレンズ群ＬＰ、負の屈折力のレンズ群ＬＮからなり、広角端から望遠端へのズーミングに際して前記レンズ群ＬＮが物体側へ移動し、広角端における前記レンズ群ＬＰの最も像側のレンズ面と前記レンズ群ＬＮの最も物体側のレンズ面との光軸上の距離をＬＲ、広角端における前記ズームレンズのバックフォーカスをＢｋｗ、前記レンズ群ＬＮの焦点距離をｆＬＮ、前記レンズ群ＬＰの焦点距離をｆＬＰとするとき、
０．７０＜ＬＲ／Ｂｋｗ＜１．２２
−１．１０＜ｆＬＮ／ｆＬＰ＜−０．３０
なる条件式を満たすことを特徴とする。
【発明の効果】
【０００８】
本発明によれば、小型かつ高ズーム比で、全ズーム範囲で高い光学性能を有するズームレンズを得ることができる。
【図面の簡単な説明】
【０００９】
【図１】実施例１のズームレンズの断面図である。
【図２】実施例１のズームレンズの収差図である。
【図３】実施例２のズームレンズの断面図である。
【図４】実施例２のズームレンズの収差図である。
【図５】実施例３のズームレンズの断面図である。
【図６】実施例３のズームレンズの収差図である。
【図７】実施例４のズームレンズの断面図である。
【図８】実施例４のズームレンズの収差図である。
【図９】実施例５のズームレンズの断面図である。
【図１０】実施例５のズームレンズの収差図である。
【図１１】実施例６のズームレンズの断面図である。
【図１２】実施例６のズームレンズの収差図である。
【図１３】撮像装置の構成を示す図である。
【発明を実施するための形態】
【００１０】
以下、本発明の実施例に係るズームレンズ及び撮像装置について、添付の図面に基づいて詳細に説明する。
【００１１】
［ズームレンズの実施例］
各実施例のズームレンズは、デジタルビデオカメラ、デジタルカメラ、銀塩フィルムカメラ、テレビカメラ等の撮像装置に用いられる撮影光学系である。図１、３、５、７、９、１１に示すズームレンズの断面図において、左方が物体側（前方）であり、右方が像側（後方）である。また各断面図において、ｉを物体側から像側へのレンズ群の順番とすると、Ｌｉは第ｉレンズ群を示す。また、開口絞りＳＰは、開放Ｆナンバー（Ｆｎｏ）の光束を決定（制限）する。
【００１２】
無限遠物体から最至近距離物体へのフォーカシングに際して、フォーカスレンズ群は、図中の破線矢印に示すように移動する。広角端から望遠端へのズーミングに際して、各レンズ群及び開口絞りＳＰは、図中の実線矢印に示すように移動する。
【００１３】
デジタルビデオカメラやデジタルカメラなどに各実施例のズームレンズを使用する場合は、像面ＩＰは、ＣＣＤセンサまたはＣＭＯＳセンサ等の撮像素子（光電変換素子）に相当する。銀塩フィルムカメラに各実施例のズームレンズを使用する場合は、像面ＩＰはフィルム面に相当する。
【００１４】
図２、４、６、８、１０、１２は、各実施例のズームレンズの収差図である。球面収差図において実線はｄ線（波長５８７．６ｎｍ）、二点鎖線はｇ線（波長４３５．８ｎｍ）である。非点収差図において破線Ｍはメリディオナル像面、実線Ｓはサジタル像面である。歪曲収差はｄ線について示している。倍率色収差はｇ線について示している。ωは半画角（度）、ＦｎｏはＦナンバーである。
【００１５】
本明細書において、「レンズ群」は、複数のレンズから構成されていてもよいし、１枚のレンズから構成されていてもよい。「広角端」はズームレンズの焦点距離が最も短くなるズーム位置を意味し、「望遠端」はズームレンズの焦点距離が最も長くなるズーム位置を意味する。「バックフォーカス」は、レンズ最終面から近軸像面までの距離を空気換算長により表記したものとする。「レンズ全長」は、ズームレンズの最前面から最終面までの光軸上の距離にバックフォーカスを加えた長さである。
【００１６】
各実施例のズームレンズは複数のレンズ群を有し、ズーミングに際して隣り合うレンズ群の間隔が変化する。当該複数のレンズ群は、物体側から像側へ順に配置された、正の屈折力の第１レンズ群、負の屈折力の第２レンズ群、１つ以上のレンズ群を含む中間群、正の屈折力のレンズ群ＬＰ、負の屈折力のレンズ群ＬＮからなる。さらに、広角端から望遠端へのズーミングに際してレンズ群ＬＮが物体側へ移動する。このとき、ズームレンズは、以下の条件式（１）、（２）を満たす。
０．７０＜ＬＲ／Ｂｋｗ＜１．２２          ・・・・・・（１）
−１．１０＜ｆＬＮ／ｆＬＰ＜−０．３０    ・・・・・・（２）
【００１７】
広角端におけるレンズ群ＬＰの像側のレンズ面とレンズ群ＬＮの物体側のレンズ面との光軸上の距離をＬＲ（以下、間隔ＬＲという）、広角端におけるズームレンズのバックフォーカスをＢｋｗとする。レンズ群ＬＮの焦点距離をｆＬＮ、レンズ群ＬＰの焦点距離をｆＬＰとする。
【００１８】
条件式（１）、（２）は、ズームレンズの小型化と、全ズーム範囲における非点収差及びコマ収差の補正を両立するための条件式である。実施例に係るズームレンズは、テレフォトタイプのレンズ配置を採用することにより、レンズ全長の短縮を図っている。さらに、第１レンズ群で生じる非点収差及びコマ収差の補正を担っているレンズ群ＬＮを広角端から望遠端へのズーミングに際して大きく物体側に移動可能に構成している。広角端から望遠端へのズーミングに際して、軸外光束の高さが十分に低くなる位置までレンズ群ＬＮを移動可能とすることによって、望遠端における非点収差及びコマ収差の補正を容易にしている。
【００１９】
さらに、レンズ群ＬＮの物体側に隣接して配置されるレンズ群を正の屈折力のレンズ群ＬＰとすることによって、レンズ群ＬＮの単位移動量当たりの軸上光束の高さの変化量を大きくして、望遠端における非点収差及びコマ収差の補正効果を高めている。
【００２０】
以下、条件式（１）、（２）について詳述する。
【００２１】
条件式（１）は、広角端におけるバックフォーカスに対する間隔ＬＲに関する。条件式（１）の下限値を下回って間隔ＬＲが小さくなると、広角端から望遠端へのズーミングに際して、レンズ群ＬＮを物体側に十分に移動させることができず、望遠端において非点収差及びコマ収差の補正が困難になるため好ましくない。条件式（１）の上限値を上回って間隔ＬＲが大きくなると、広角端におけるズームレンズのレンズ全長が長くなり、ズームレンズの小型化が困難になるため好ましくない。
【００２２】
条件式（２）は、レンズ群ＬＮの焦点距離とレンズ群ＬＰの焦点距離の比に関する。条件式（２）の下限値を下回って、レンズ群ＬＮの焦点距離が長くなり（レンズ群ＬＮの焦点距離の絶対値が大きくなり）、レンズ群ＬＮの屈折力が弱くなると、テレフォトタイプのパワー配置が弱まる。これにより、レンズ全長が長くなり、ズームレンズの小型化が困難になるため好ましくない。条件式（２）の上限値を上回って、レンズ群ＬＰの焦点距離が長くなると、広角端から望遠端へのズーミングに際してレンズ群ＬＮが移動することによる、非点収差及びコマ収差の補正効果が弱まるため好ましくない。
【００２３】
このようにズームレンズを構成することにより、小型で、高ズーム比で、かつ全ズーム範囲で高い光学性能を有するズームレンズを得ることができる。特に、望遠端における非点収差及びコマ収差を良好に補正することができる。
【００２４】
なお、好ましくは条件式（１）、（２）の数値範囲を次のように設定するとよい。
０．７０＜ＬＲ／Ｂｋｗ＜１．２１            ・・・・・・（１ａ）
−１．０９＜ｆＬＮ／ｆＬＰ＜−０．３３      ・・・・・・（２ａ）
【００２５】
さらに好ましくは、条件式（１）、（２）の数値範囲を次のように設定するとよい。
０．７１＜ＬＲ／Ｂｋｗ＜１．２０            ・・・・・・（１ｂ）
−１．０７＜ｆＬＮ／ｆＬＰ＜−０．３５      ・・・・・・（２ｂ）
【００２６】
さらに、本発明の実施例に係るズームレンズは、条件式（３）〜（８）のうち１つ以上を満たすことが好ましい。
−１．６０＜ｆＬＮ／ｆｗ＜−０．６２        ・・・・・・（３）
２．００＜Ｂｋｔ／Ｂｋｗ＜４．００          ・・・・・・（４）
０．１０＜Ｂｋｗ／ｆｗ＜０．４０            ・・・・・・（５）
０．４０＜｜Ｅｐ｜／ｆｗ＜０．７０          ・・・・・・（６）
１．５０＜ＴＤｗ／ｆｗ＜３．００            ・・・・・・（７）
１．９５＜ｎｄＭ＜２．２０                  ・・・・・・（８）
【００２７】
広角端におけるズームレンズの焦点距離をｆｗ望遠端におけるズームレンズのバックフォーカスをＢｋｔとする。広角端において無限遠物体にフォーカスしたときの射出瞳の位置から像面までの光軸上の距離をＥｐとする。広角端における、レンズ全長をＴＤｗとする。中間群は少なくとも１枚の負レンズを有し、該少なくとも１枚の負レンズのうち最も屈折率が大きい材料のｄ線に対する屈折率をｎｄＭとする。
【００２８】
条件式（３）は、レンズ群ＬＮの焦点距離と広角端におけるズームレンズの焦点距離の比に関する。条件式（３）の下限値を下回ってレンズ群ＬＮの焦点距離が長くなり（レンズ群ＬＮの焦点距離の絶対値が大きくなり）、レンズ群ＬＮの負の屈折力が弱くなると、テレフォトタイプの配置が弱まる。これにより、レンズ全長が長くなり、ズームレンズの小型化が困難になるため好ましくない。さらに、望遠側において十分に非点収差及びコマ収差を補正しようとすると、広角端から望遠端へのズーミングに際してのレンズ群ＬＮの移動量が大きくなるため、レンズ群ＬＮの移動スペースを確保する必要が生じ、レンズ全長が長くなるため好ましくない。条件式（３）の上限値を上回ってレンズ群ＬＮの焦点距離が短くなり（レンズ群ＬＮの焦点距離の絶対値が小さくなり）、レンズ群ＬＮの負の屈折力が強くなると、広角端から望遠端へのズーミングに際してのレンズ群ＬＮの移動量が小さくなる。そのため、ズーミングに際してのレンズ群ＬＮを通過する光線の光軸からの高さの変化量が小さくなり、望遠側において非点収差及びコマ収差の補正が困難となるので好ましくない。
【００２９】
条件式（４）は、望遠端におけるバックフォーカスと広角端におけるバックフォーカスの比に関する。条件式（４）の下限値を下回って、広角端におけるバックフォーカスが長くなると、レンズ群ＬＮの移動スペースの確保が困難になり、望遠側においてコマ収差及び非点収差を十分に補正することが困難になるため好ましくない。条件式（４）の上限値を上回って、望遠端におけるバックフォーカスが長くなると、望遠端におけるレンズ全長が長くなるため好ましくない。
【００３０】
条件式（５）は、広角端におけるズームレンズの焦点距離に対する広角端におけるバックフォーカスの比に関する。条件式（５）の下限値を下回って、広角端におけるバックフォーカスが短くなると、像面に対する軸外光束の最大入射角が大きくなる。これにより、周辺光量が低下するため好ましくない。さらに、最大入射角の増大に伴い、レンズ群ＬＮのレンズ有効径が大きくなって、ズームレンズが径方向に大型になるため好ましくない。条件式（５）の上限値を上回って広角端におけるバックフォーカスが長くなると、広角端におけるレンズ全長が長くなるため好ましくない。さらに、望遠端と広角端でのコマ収差、非点収差の補正効果の差が出しづらくなり、望遠側においてコマ収差及び非点収差を十分に補正できなくなってしまうため好ましくない。
【００３１】
条件式（６）は、広角端におけるズームレンズの焦点距離に対する、射出瞳の位置から像面までの光軸上の距離に関する。条件式（６）の下限値を下回って、射出瞳の位置から像面までの光軸上の距離が短くなると、像面に対する軸外光束の最大入射角が大きくなる。これにより、周辺光量が低下するため好ましくない。条件式（６）の上限値を上回って、射出瞳の位置から像面までの光軸上の距離が長くなると、レンズ全長が増大してズームレンズの小型化が困難になるため好ましくない。
【００３２】
条件式（７）は、広角端におけるズームレンズの焦点距離に対する広角端におけるレンズ全長の比に関する。条件式（７）の下限値を下回ってレンズ全長が短くなると、ズームレンズの各レンズ群の屈折力が強くなって像面湾曲の補正が困難になるため好ましくない。条件式（７）の上限値を上回ってレンズ全長が長くなると、ズームレンズが大型化するため好ましくない。
【００３３】
条件式（８）は中間群における負レンズの材料の屈折率に関し、ズームレンズの像面湾曲を適切に補正するための条件式である。第２レンズ群及びレンズ群ＬＮでペッツバール和が負になるため、中間群においてペッツバール和を正の値とすることで、第２レンズ群及びレンズ群ＬＮで発生する像面湾曲を補正する。このとき、条件式（８）の下限値を下回って、負レンズの材料の屈折率が小さくなると、中間群におけるペッツバール和の負の成分が大きくなりすぎて、第２レンズ群及びレンズ群ＬＮで生じるペッツバール和の負の成分を補正しづらくなる。これにより、ズームレンズの像面湾曲の補正が困難になるため好ましくない。条件式（８）の上限値を上回って屈折率が大きくなると、光の透過率が低くなるため好ましくない。
【００３４】
なお、好ましくは条件式（３）〜（８）の数値範囲を次のように設定するとよい。
−１．５８＜ｆＬＮ／ｆｗ＜−０．６３    ・・・・・・（３ａ）
２．２０＜Ｂｋｔ／Ｂｋｗ＜３．９５      ・・・・・・（４ａ）
０．１３＜Ｂｋｗ／ｆｗ＜０．３８        ・・・・・・（５ａ）
０．４３＜｜Ｅｐ｜／ｆｗ＜０．６９      ・・・・・・（６ａ）
１．６０＜ＴＤｗ／ｆｗ＜２．８０        ・・・・・・（７ａ）
１．９７＜ｎｄＭ＜２．１５              ・・・・・・（８ａ）
【００３５】
さらに好ましくは、条件式（３）〜（８）の数値範囲を次のように設定するとよい。
−１．５５＜ｆＬＮ／ｆｗ＜−０．６５    ・・・・・・（３ｂ）
２．４０＜Ｂｋｔ／Ｂｋｗ＜３．９０      ・・・・・・（４ｂ）
０．１６＜Ｂｋｗ／ｆｗ＜０．３５        ・・・・・・（５ｂ）
０．４６＜｜Ｅｐ｜／ｆｗ＜０．６７      ・・・・・・（６ｂ）
１．７９＜ＴＤｗ／ｆｗ＜２．６０        ・・・・・・（７ｂ）
２．００＜ｎｄＭ＜２．１０              ・・・・・・（８ｂ）
【００３６】
レンズ群ＬＮは１枚の正レンズと１枚の負レンズを有することが好ましい。これにより、ズーミングに際して色収差の変動を低減することができる。
【００３７】
フォーカシングに際して、中間群に含まれるレンズ群のうち最も像側に配置されたレンズ群が移動することが好ましい。フォーカシングに際して移動させても光線の高さ変化が少ない位置に配置されたレンズ群によりフォーカシングを行うことにより、フォーカシングに際して生じる非点収差やコマ収差の変動を低減することができる。
【００３８】
さらに、フォーカシングに際して、レンズ群ＬＰの最も像側のレンズ面とレンズ群ＬＮの最も物体側のレンズ面との光軸上の距離が一定であることが好ましい。すなわち、フォーカシングに際して、レンズ群ＬＰやレンズ群ＬＮの全体または一部を移動させないことが好ましい。これにより、フォーカシングに際して生じる非点収差やコマ収差の変動を低減することができる。
【００３９】
レンズ群ＬＮは、非球面レンズを有することが好ましい。特に、当該非球面レンズの非球面は、光軸中心からレンズ周辺に向かって正の屈折力が強くなる形状であることが好ましい。これにより、少ないレンズ枚数で球面収差や像面湾曲の補正が容易になる。
【００４０】
広角端から望遠端へのズーミングに際して、第１レンズ群が物体側へ移動することが好ましい。これにより、レンズ全長の短縮と変倍比の確保を両立することが容易となる。
【００４１】
中間群におけるペッツバール和が正の側に大きな値となるように、中間群の正レンズの数が負レンズの数よりも多くなることが好ましい。さらに、中間群が、条件式（８）の範囲内となる屈折率の材料からなる負レンズを２枚以上有することが好ましい。これにより、像面湾曲の補正効果を高めることができる。
【００４２】
［実施例１］
図１は実施例１のズームレンズＺＬの広角端における断面図であり、図２（Ａ）は広角端において無限遠に合焦しているときのズームレンズＺＬの収差図であり、図２（Ｂ）は望遠端において無限遠に合焦しているときのズームレンズＺＬの収差図である。実施例１のズームレンズＺＬは、ズーム比４．０３、Ｆナンバー４．０８〜５．６７である。
【００４３】
実施例１に係るズームレンズＺＬは、物体側から像側へ順に配置された、正の屈折力の第１レンズ群Ｌ１と、負の屈折力の第２レンズ群Ｌ２と、開口絞りＳＰと、正の屈折力の第３レンズ群Ｌ３と、正の屈折力の第４レンズ群Ｌ４と、負の屈折力の第５レンズ群Ｌ５と、正の屈折力の第６レンズ群Ｌ６と、負の屈折力の第７レンズ群Ｌ７からなる。中間群ＭＬは、第３レンズ群Ｌ３と、第４レンズ群Ｌ４と、第５レンズ群Ｌ５からなる。第６レンズ群Ｌ６がレンズ群ＬＰであり、第７レンズ群Ｌ７がレンズ群ＬＮである。
【００４４】
広角端から望遠端へのズーミングに際して、第２レンズ群Ｌ２は不動であり、第１レンズ群Ｌ１、第３レンズ群Ｌ３、第４レンズ群Ｌ４、第５レンズ群Ｌ５、第６レンズ群Ｌ６、及び第７レンズ群Ｌ７は、物体側に移動する。ズーミングに際して、第２レンズ群Ｌ２と第３レンズ群Ｌ３の間に配置された開口絞りＳＰは、第３レンズ群Ｌ３と同じ軌跡で移動する。無限遠物体から最至近距離物体へのフォーカシングに際して、第５レンズ群Ｌ５が像側へ移動する。
【００４５】
第７レンズ群Ｌ７は、正レンズｐ７と、正レンズｐ７の像側に配置された負レンズｎ７からなり、負レンズｎ７は物体側に光軸中心からレンズ周辺に向かって正の屈折力が強くなる非球面を有する。
【００４６】
これらの構成により、小型かつ高ズーム比で、図２の収差図に示すように全ズーム範囲で高い光学性能のズームレンズを得ることができる。
【００４７】
［実施例２］
図３は実施例２のズームレンズＺＬの広角端における断面図であり、図４（Ａ）は広角端において無限遠に合焦しているときのズームレンズＺＬの収差図であり、図４（Ｂ）は望遠端において無限遠に合焦しているときのズームレンズＺＬの収差図である。実施例２のズームレンズＺＬは、ズーム比５．３７、Ｆナンバー４．０８〜５．８５である。
【００４８】
実施例２に係るズームレンズＺＬは、物体側から像側へ順に配置された、正の屈折力の第１レンズ群Ｌ１と、負の屈折力の第２レンズ群Ｌ２と、開口絞りＳＰと、正の屈折力の第３レンズ群Ｌ３と、負の屈折力の第４レンズ群Ｌ４と、正の屈折力の第５レンズ群Ｌ５と、負の屈折力の第６レンズ群Ｌ６と、正の屈折力の第７レンズ群Ｌ７と、負の屈折力の第８レンズ群Ｌ８からなる。中間群ＭＬは、第３レンズ群Ｌ３と、第４レンズ群Ｌ４と、第５レンズ群Ｌ５と、第６レンズ群Ｌ６からなる。第７レンズ群Ｌ７がレンズ群ＬＰであり、第８レンズ群Ｌ８がレンズ群ＬＮである。
【００４９】
広角端から望遠端へのズーミングに際して、第２レンズ群Ｌ２は不動であり、第１レンズ群Ｌ１、第３レンズ群Ｌ３、第４レンズ群Ｌ４、第５レンズ群Ｌ５、第６レンズ群Ｌ６、第７レンズ群Ｌ７、及び第８レンズ群Ｌ８は、物体側に移動する。ズーミングに際して、第２レンズ群Ｌ２と第３レンズ群Ｌ３の間に配置された開口絞りＳＰは、第３レンズ群Ｌ３と同じ軌跡で移動する。無限遠物体から最至近距離物体へのフォーカシングに際して、第４レンズ群が物体側へ移動し、かつ、第６レンズ群Ｌ６が像側へ移動する。
【００５０】
第８レンズ群Ｌ８は、負レンズｎ８からなり、負レンズｎ８は物体側に光軸中心からレンズ周辺に向かって正の屈折力が強くなる非球面を有する。
【００５１】
これらの構成により、小型かつ高ズーム比で、図４の収差図に示すように全ズーム範囲で高い光学性能のズームレンズを得ることができる。
【００５２】
［実施例３］
図５は実施例３のズームレンズＺＬの広角端における断面図であり、図６（Ａ）は広角端において無限遠に合焦しているときのズームレンズＺＬの収差図であり、図６（Ｂ）は望遠端において無限遠に合焦しているときのズームレンズＺＬの収差図である。実施例３のズームレンズＺＬは、ズーム比２．７８、Ｆナンバー４．１２〜５．８８である。
【００５３】
実施例３に係るズームレンズＺＬは、物体側から像側へ順に配置された、正の屈折力の第１レンズ群Ｌ１と、負の屈折力の第２レンズ群Ｌ２と、開口絞りＳＰと、正の屈折力の第３レンズ群Ｌ３と、正の屈折力の第４レンズ群Ｌ４と、負の屈折力の第５レンズ群Ｌ５からなる。中間群ＭＬは、第３レンズ群Ｌ３からなる。第４レンズ群Ｌ４がレンズ群ＬＰであり、第５レンズ群Ｌ５がレンズ群ＬＮである。
【００５４】
広角端から望遠端へのズーミングに際して、第２レンズ群Ｌ２は不動であり、第１レンズ群Ｌ１、第３レンズ群Ｌ３、第４レンズ群Ｌ４、及び第５レンズ群Ｌ５は、物体側に移動する。無限遠物体から最至近距離物体へのフォーカシングに際して第３レンズ群Ｌ３が像側へ移動する。ズーミングに際して、第２レンズ群Ｌ２と第３レンズ群Ｌ３の間に配置された開口絞りＳＰは、第３レンズ群Ｌ３と同じ軌跡で移動する。
【００５５】
第５レンズ群Ｌ５は、正レンズｐ５と、正レンズｐ５の像側に配置された負レンズｎ５からなり、負レンズｎ５は物体側に光軸中心からレンズ周辺に向かって正の屈折力が強くなる非球面を有する。
【００５６】
これらの構成により、小型かつ高ズーム比で、図６の収差図に示すように全ズーム範囲で高い光学性能のズームレンズを得ることができる。
【００５７】
［実施例４］
図７は実施例４のズームレンズＺＬの広角端における断面図であり、図８（Ａ）は広角端において無限遠に合焦しているときのズームレンズＺＬの収差図であり、図８（Ｂ）は望遠端において無限遠に合焦しているときのズームレンズＺＬの収差図である。実施例４のズームレンズＺＬは、ズーム比４．０３、Ｆナンバー４．１２〜５．８８である。
【００５８】
実施例４に係るズームレンズＺＬは、物体側から像側へ順に配置された、正の屈折力の第１レンズ群Ｌ１と、負の屈折力の第２レンズ群Ｌ２と、開口絞りＳＰと、正の屈折力の第３レンズ群Ｌ３と、負の屈折力の第４レンズ群Ｌ４と、正の屈折力の第５レンズ群Ｌ５と、負の屈折力の第６レンズ群Ｌ６からなる。中間群ＭＬは、第３レンズ群Ｌ３と、第４レンズ群Ｌ４からなる。第５レンズ群Ｌ５がレンズ群ＬＰであり、第６レンズ群Ｌ６がレンズ群ＬＮである。
【００５９】
広角端から望遠端へのズーミングに際して、第２レンズ群Ｌ２は不動であり、第１レンズ群Ｌ１、第３レンズ群Ｌ３、第４レンズ群Ｌ４、第５レンズ群Ｌ５、及び第６レンズ群Ｌ６は、物体側に移動する。ズーミングに際して、第２レンズ群Ｌ２と第３レンズ群Ｌ３の間に配置された開口絞りＳＰは、第３レンズ群Ｌ３と同じ軌跡で移動する。無限遠物体から最至近距離物体へのフォーカシングに際して第４レンズ群Ｌ４が像側へ移動する。
【００６０】
第６レンズ群Ｌ６は、正レンズｐ６と、正レンズｐ６の像側に配置された負レンズｎ６からなり、負レンズｎ６は物体側及び像側に光軸中心からレンズ周辺に向かって正の屈折力が強くなる非球面を有する。
【００６１】
これらの構成により、小型かつ高ズーム比で、図８の収差図に示すように全ズーム範囲で高い光学性能のズームレンズを得ることができる。
【００６２】
［実施例５］
図９は実施例５のズームレンズＺＬの広角端における断面図であり、図１０（Ａ）は広角端において無限遠に合焦しているときのズームレンズＺＬの収差図であり、図１０（Ｂ）は望遠端において無限遠に合焦しているときのズームレンズＺＬの収差図である。実施例５のズームレンズＺＬは、ズーム比４．０３、Ｆナンバー４．１２〜５．８５である。
【００６３】
実施例５に係るズームレンズＺＬは、実施例４に係るズームレンズＺＬと同じレンズ構成を有し、各レンズ群の屈折力、ズーミングやフォーカシングに際しての移動量、非球面形状を示す非球面係数等が実施例４に係るズームレンズＺＬとは異なる。
【００６４】
これらの構成により、小型かつ高ズーム比で、図１０の収差図に示すように全ズーム範囲で高い光学性能のズームレンズを得ることができる。
【００６５】
［実施例６］
図１１は実施例６のズームレンズＺＬの広角端における断面図であり、実施例６のズームレンズＺＬは、ズーム比４．０３、Ｆナンバー４．１２〜５．８８である。
【００６６】
実施例６に係るズームレンズＺＬは、実施例４に係るズームレンズＺＬと同じレンズ構成を有し、各レンズ群の屈折力、ズーミングやフォーカシングに際しての移動量、非球面形状を示す非球面係数等が実施例４に係るズームレンズＺＬとは異なる。
【００６７】
これらの構成により、小型かつ高ズーム比で、図１２の収差図に示すように全ズーム範囲で高い光学性能のズームレンズを得ることができる。
【００６８】
［数値実施例］
以下に、実施例１〜６のそれぞれに対応する数値実施例１〜６を示す。また、数値実施例１〜６において、面番号は、物体側からの光学面の順序を示す。ｒは光学面の曲率半径（ｍｍ）、ｄは隣り合う光学面の間隔（ｍｍ）、ｎｄとνｄはそれぞれｄ線を基準とした光学部材の材料の屈折率、アッベ数を示す。フラウンホーファー線のｇ線（波長４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとするとき、アッベ数νｄを、
νｄ＝（Ｎｄ−１）／（ＮＦ−ＮＣ）
として表す。ＢＦはバックフォーカスを示す。
【００６９】
非球面は各数値実施例中の面番号の右側に＊印を付している。非球面形状は光軸方向をＸ軸、光軸と垂直方向をＨ軸、光の進行方向を正、Ｒを近軸曲率半径、Ｋを円錐定数、Ａ４、Ａ６、Ａ８、Ａ１０、Ａ１２をそれぞれ非球面係数とするとき、
【００７０】
【数１】
2019158961.tif 000003
【００７１】
で表している。非球面係数の「ｅ−ｘ」は１０−ｘを意味する。
【００７２】
数値実施例１〜６のそれぞれにおける、条件式（１）〜（８）に対応する値を［表１］に示す。
【００７３】
（数値実施例１）
単位 mm
面データ
面番号       r        d      nd         vd
1         67.572    5.31   1.59522    67.7
2        219.918    0.10
3         76.295    1.00   1.85150    40.8
4         42.830    6.85   1.49700    81.5
5        197.936  (可変)
6         85.869    1.00   1.77250    49.6
7         17.518    2.90   1.84666    23.8
8         31.124    4.04
9        -44.089    1.00   1.65160    58.5
10       -356.776  (可変)
11(絞り)    ∞       0.98
12        312.705    2.55   1.95375    32.3
13        -50.290    0.10
14         34.559    4.59   1.65100    56.2
15        -37.052    1.00   2.05090    26.9
16        106.446  (可変)
17         49.650    4.76   1.63930    44.9
18        -22.931    1.00   2.05090    26.9
19         55.522    3.67
20         67.974    4.29   1.80000    29.8
21        -31.301  (可変)
22        159.065    1.52   1.84666    23.8
23       -140.742    1.00   1.69680    55.5
24         23.059  (可変)
25        127.585    3.11   1.48749    70.2
26        -35.605  (可変)
27        -58.400    2.16   1.79952    42.2
28        -32.517    2.87
29*       -22.472    1.50   1.58313    59.4
30        102.678  (可変)
像面        ∞
非球面データ
第29面
K = 0.00000e+000  A 4= 9.85427e-006  A 6= 1.11792e-008  A 8= 4.85030e-011
各種データ
ズーム比      4.03
広角     中間     望遠
焦点距離      72.00   146.00   290.00
Ｆナンバー     4.08     4.88     5.67
半画角（度）  16.72     8.43     4.27
像高          21.64    21.64    21.64
レンズ全長   140.00   177.20   210.00
BF            25.13    44.86    61.65
d 5            1.02    38.22    71.02
d10           20.04    10.71     1.30
d16            5.46     1.00     3.92
d21            3.96     6.17     1.00
d24            8.31    10.56    12.80
d26           18.78     8.38     1.00
d30           25.13    44.86    61.65
レンズ群データ
群  始面    焦点距離
1    1     148.23
2    6     -37.63
3   12      44.23
4   17      58.53
5   22     -42.39
6   25      57.46
7   27     -50.26
【００７４】
（数値実施例２）
単位 mm
面データ
面番号       r        d      nd         vd
1        110.607    6.69   1.59349    67.0
2        676.138    0.20
3        116.231    2.80   1.65412    39.7
4         56.774   10.97   1.43875    94.7
5        751.863  (可変)
6         61.732    4.59   1.80810    22.8
7       -393.024    1.60   2.00100    29.1
8         64.398    3.99
9       -258.591    1.20   1.80400    46.6
10         58.782    3.25
11        -55.262    1.20   1.49700    81.5
12         53.028    3.56   1.69895    30.1
13       -293.744  (可変)
14(絞り)    ∞       0.50
15         40.226    5.36   1.43875    94.7
16        -92.163  (可変)
17        -35.758    1.50   1.95375    32.3
18        -73.758  (可変)
19      -19553.792    3.34   1.80610    33.3
20        -42.416    3.69
21        129.514    5.13   1.48749    70.2
22        -30.692    1.70   2.05090    26.9
23       -162.725    0.15
24         65.343    3.31   1.58144    40.8
25       -157.395  (可変)
26       -930.227    2.71   1.56732    42.8
27        -62.928    1.20   1.76385    48.5
28         44.553  (可変)
29        135.764    1.80   1.76385    48.5
30         55.301    2.20
31         60.141    7.81   1.72047    34.7
32        -55.593  (可変)
33*       -26.790    1.80   1.49700    81.5
34       -319.307  (可変)
像面        ∞
非球面データ
第33面
K =-3.37760e-001  A 4= 7.31442e-006  A 6=-1.38865e-011  A 8= 6.52604e-012  A10=-5.70419e-015
各種データ
ズーム比      5.37
広角     中間     望遠
焦点距離      72.62   168.49   389.89
Ｆナンバー     4.07     5.10     5.85
半画角（度）  16.59     7.32     3.18
像高          21.64    21.64    21.64
レンズ全長   187.91   236.14   268.26
BF            13.80    27.53    35.04
d 5            1.00    49.23    81.34
d13           27.93    16.31     1.61
d16            6.02     9.51    16.63
d18           11.46     7.97     0.85
d25           22.17    17.17     3.27
d28            6.93    15.88    43.28
d32           16.37    10.30     4.00
d34           13.80    27.53    35.04
レンズ群データ
群  始面    焦点距離
1    1     171.48
2    6     -47.29
3   15      64.62
4   17     -74.20
5   19      43.91
6   26     -47.75
7   29      59.18
8   33     -58.96
【００７５】
（数値実施例３）
単位 mm
面データ
面番号       r        d      nd         vd
1         42.957    4.29   1.59522    67.7
2        125.157    0.10
3         54.225    1.00   1.88300    40.8
4         28.138    5.65   1.49700    81.5
5        960.480  (可変)
6        305.380    1.00   1.88300    40.8
7         17.106    4.39   1.92119    24.0
8         41.253    3.34
9        -48.617    1.00   1.69680    55.5
10        252.236  (可変)
11(絞り)    ∞       0.10
12         71.939    2.86   1.95375    32.3
13        -66.176    0.16
14         32.145    6.18   1.56883    56.4
15        -24.865    1.39   2.05090    26.9
16         55.306    9.08
17        177.272    3.50   1.62588    35.7
18        -26.789    1.00
19         30.189    1.00   2.05090    26.9
20         18.830    3.38   1.57501    41.5
21       -257.765    5.44
22        -37.719    1.38   2.00069    25.5
23        -26.794    1.00   1.83481    42.7
24         36.515  (可変)
25        -63.946    3.07   1.62041    60.3
26        -30.356  (可変)
27        -85.733    2.78   1.71736    29.5
28        -41.215    9.27
29*       -19.350    1.50   1.58313    59.4
30        -67.605  (可変)
像面        ∞
非球面データ
第29面
K = 0.00000e+000  A 4= 1.51194e-005  A 6= 4.26786e-008  A 8=-5.88749e-011  A10= 2.36320e-013  A12= 4.79315e-016
各種データ
ズーム比      2.78
広角     中間     望遠
焦点距離      72.00   100.00   200.00
Ｆナンバー     4.12     4.45     5.88
半画角（度）  16.72    12.21     6.17
像高          21.64    21.64    21.64
レンズ全長   140.00   149.14   160.00
BF            14.00    13.81    37.21
d 5            1.34    10.48    21.34
d10           23.29    16.46     1.79
d24           17.50    24.17    24.80
d26           10.00    10.36     1.00
d30           14.00    13.81    37.21
レンズ群データ
群  始面    焦点距離
1    1      87.27
2    6     -28.74
3   12      36.61
4   25      90.00
5   27     -95.00
【００７６】
（数値実施例４）
単位 mm
面データ
面番号       r        d      nd         vd
1         69.411    5.44   1.48749    70.2
2        290.410    0.10
3         75.531    1.00   1.88300    40.8
4         44.802    6.42   1.49700    81.5
5        239.004  (可変)
6        112.912    1.00   1.88300    40.8
7         18.311    3.78   1.92119    24.0
8         38.139    3.37
9        -53.764    1.00   1.83481    42.7
10       -167.243  (可変)
11(絞り)    ∞       0.99
12        123.962    2.49   1.95375    32.3
13        -63.797    0.56
14         27.576    5.33   1.51823    58.9
15        -30.196    1.00   2.05090    26.9
16         75.910    9.08
17        201.431    3.19   1.61340    44.3
18        -31.694    1.00
19         21.235    1.00   2.05090    26.9
20         14.887    3.15   1.54814    45.8
21         63.708  (可変)
22         80.385    2.26   1.92119    24.0
23        -35.334    1.00   1.88300    40.8
24         17.473  (可変)
25        -77.860    1.84   1.51742    52.4
26        -38.317  (可変)
27        -70.862    2.46   1.73800    32.3
28        -39.056    2.62
29*       -19.204    1.50   1.58313    59.4
30*       -57.658  (可変)
像面        ∞
非球面データ
第29面
K = 0.00000e+000  A 4= 1.12193e-005  A 6= 1.62755e-007  A 8=-7.69989e-010  A10= 2.57903e-012  A12=-1.66400e-015
第30面
K = 0.00000e+000  A 4=-1.03650e-005  A 6= 8.22357e-008  A 8=-4.47750e-010  A10= 1.11498e-012  A12=-7.20806e-016
各種データ
ズーム比      4.03
広角     中間     望遠
焦点距離      72.00   144.00   290.00
Fナンバー      4.12     4.80     5.88
半画角（度）  16.72     8.54     4.27
像高          21.64    21.64    21.64
レンズ全長   130.00   175.16   200.00
BF            14.00    28.54    46.98
d 5            1.16    46.32    71.16
d10           22.55    15.60     1.07
d21            5.98     4.21     1.00
d24           11.20    14.86    17.21
d26           13.53     4.06     1.01
d30           14.00    28.54    46.98
レンズ群データ
群  始面    焦点距離
1    1     153.19
2    6     -41.02
3   12      27.83
4   22     -27.03
5   25     143.53
6   27     -89.92
【００７７】
（数値実施例５）
単位 mm
面データ
面番号       r        d      nd         vd
1         69.153    5.50   1.48749    70.2
2        288.787    0.10
3         75.327    1.00   1.88300    40.8
4         44.701    6.48   1.49700    81.5
5        239.175  (可変)
6        113.705    1.00   1.88300    40.8
7         18.379    3.76   1.92119    24.0
8         38.122    3.37
9        -53.389    1.00   1.83481    42.7
10       -167.120  (可変)
11(絞り)    ∞       0.99
12        123.197    2.50   1.95375    32.3
13        -63.647    0.75
14         27.574    5.40   1.51823    58.9
15        -30.208    1.03   2.05090    26.9
16         76.155    9.08
17        200.286    3.46   1.61340    44.3
18        -31.727    1.00
19         21.246    1.00   2.05090    26.9
20         14.847    3.14   1.54814    45.8
21         63.816  (可変)
22         81.785    2.26   1.92119    24.0
23        -35.081    1.00   1.88300    40.8
24         17.412  (可変)
25        -70.255    1.62   1.51742    52.4
26        -40.424  (可変)
27        -73.913    2.59   1.73800    32.3
28        -38.371    2.81
29*       -19.600    1.50   1.58313    59.4
30*       -54.508  (可変)
像面        ∞
非球面データ
第29面
K = 0.00000e+000  A 4= 5.11530e-007  A 6= 1.63688e-007  A 8=-6.85378e-010  A10= 2.26741e-012  A12=-1.46573e-015
第30面
K = 0.00000e+000  A 4=-1.94143e-005  A 6= 9.86099e-008  A 8=-4.68360e-010  A10= 1.13897e-012  A12=-7.70232e-016
各種データ
ズーム比      4.03
広角     中間     望遠
焦点距離      71.98   144.00   290.00
Ｆナンバー     4.12     4.77     5.85
半画角（度）  16.73     8.54     4.27
像高          21.64    21.64    21.64
レンズ全長   130.00   175.18   200.00
BF            14.00    28.75    47.83
d 5            1.17    46.35    71.17
d10           22.56    15.49     1.07
d21            6.19     4.36     1.00
d24            8.00    13.58    15.47
d26           15.75     4.32     1.13
d30           14.00    28.75    47.83
レンズ群データ
群  始面    焦点距離
1    1     152.45
2    6     -40.70
3   12      27.98
4   22     -26.76
5   25     180.66
6   27    -110.00
【００７８】
（数値実施例６）
単位 mm
面データ
面番号       r        d      nd         vd
1         71.035    5.16   1.48749    70.2
2        275.090    0.10
3         81.171    1.00   1.88300    40.8
4         46.586    6.54   1.49700    81.5
5        380.384  (可変)
6        171.968    1.00   1.88300    40.8
7         18.379    3.88   1.92119    24.0
8         40.696    3.35
9        -50.175    1.00   1.83481    42.7
10       -108.651  (可変)
11(絞り)    ∞       0.99
12        166.004    2.45   1.95375    32.3
13        -61.306    0.10
14         28.122    5.19   1.51823    58.9
15        -29.747    1.00   2.05090    26.9
16         94.500    9.08
17        414.149    3.44   1.61340    44.3
18        -31.646    1.00
19         22.380    1.00   2.05090    26.9
20         15.488    3.31   1.54814    45.8
21         79.936  (可変)
22         58.201    2.28   1.92119    24.0
23        -42.307    1.00   1.88300    40.8
24         17.193  (可変)
25        -63.974    1.82   1.51742    52.4
26        -40.658  (可変)
27        -53.251    2.19   1.73800    32.3
28        -37.020    2.59
29*       -18.834    1.50   1.58313    59.4
30*       -49.507  (可変)
像面        ∞
非球面データ
第29面
K = 0.00000e+000  A 4= 1.14660e-005  A 6= 2.69314e-007  A 8=-1.40715e-009  A10= 3.56012e-012  A12=-1.56292e-015
第30面
K = 0.00000e+000  A 4=-9.53166e-006  A 6= 1.68149e-007  A 8=-1.01742e-009  A10= 2.44002e-012  A12=-1.95354e-015
各種データ
ズーム比      4.03
広角     中間     望遠
焦点距離      72.00   146.00   290.00
Ｆナンバー     4.12     4.81     5.88
半画角（度）  16.72     8.43     4.27
像高          21.64    21.64    21.64
レンズ全長   130.00   176.18   200.00
BF            12.00    29.77    46.67
d 5            1.27    47.45    71.27
d10           22.29    15.51     1.00
d21            6.08     4.00     1.00
d24           18.13    12.85    17.88
d26            9.25     5.61     1.19
d30           12.00    29.77    46.67
レンズ群データ
群  始面    焦点距離
1    1     153.57
2    6     -41.40
3   12      28.12
4   22     -30.10
5   25     210.00
6   27     -80.00
【００７９】
【表１】
2019158961.tif 000004
【００８０】
［撮像装置の実施例］
次に、本発明のズームレンズを撮影光学系として用いた撮像装置の実施例について図１３を用いて説明する。撮像装置１０は、例えば、デジタルスチルカメラ、デジタルビデオカメラ、監視カメラ、放送用カメラ等の撮像素子を用いた撮像装置、または銀塩写真フィルムを用いたカメラ等の撮像装置である。
【００８１】
図１３において、撮像装置１０は、実施例１〜６で説明したズームレンズのいずれかである撮影光学系１１と、撮像装置１０に内蔵され且つ撮影光学系１１によって形成された被写体像を受光する撮像素子（光電変換素子）１２とを有する。撮像素子１２は、例えばＣＣＤセンサやＣＭＯＳセンサ等である。
【００８２】
このように本発明のズームレンズを各種撮像装置の撮影光学系に適用することができる。これにより、小型かつ高ズーム比で、全ズーム範囲で高い光学性能を有する撮像装置を得ることができる。
【００８３】
以上、本発明の好ましい実施例について説明したが、本発明のズームレンズ及び撮像装置はこれらの実施例に限定されず、その要旨の範囲内で種々の変形及び変更が可能である。例えば、ズームレンズの一部のレンズを光軸に対して垂直方向の成分を含む方向に移動させることによって、像ぶれ補正を行ってもよい。ズーミングに際して、開口絞りＳＰが、隣接して配置されたレンズ群とは別の軌跡で移動してもよい。
【符号の説明】
【００８４】
Ｌ１  第１レンズ群
Ｌ２  第２レンズ群
ＭＬ  中間群
ＬＰ  レンズ群
ＬＮ  レンズ群
ＺＬ  ズームレンズ
【図１】
2019158961.tif 000005
【図２】
2019158961.tif 000006
【図３】
2019158961.tif 000007
【図４】
2019158961.tif 000008
【図５】
2019158961.tif 000009
【図６】
2019158961.tif 000010
【図７】
2019158961.tif 000011
【図８】
2019158961.tif 000012
【図９】
2019158961.tif 000013
【図１０】
2019158961.tif 000014
【図１１】
2019158961.tif 000015
【図１２】
2019158961.tif 000016
【図１３】
2019158961.tif 000017